(57)【要約】【課題】臓器の像と採取位置および分析結果情報とを参照しながら、臓器における検体試料の採取位置と検体試料の分析結果情報との関係性を容易に把握することが可能な診断画像システムを提供する。【解決手段】この診断画像システム１は、副腎ＡＧ（臓器）と副腎ＡＧ内の血管ＢＶとが撮影された造影血管像（放射線画像）を模式的に表したイメージ図ＩＭ上に、検体分析装置３によって分析された被検体Ｔの副腎ＡＧから採取された検体試料の分析結果ＲＡを、検体試料が採取された副腎ＡＧ内の血管ＢＶの位置に対応させて表示した分析結果表示画面Ｍ１を生成するワークステーション４（表示画面生成部）と、ワークステーション４により生成された分析結果表示画面Ｍ１を表示する表示部６２とを備える。【選択図】図７
2020127540.tif 000002
【特許請求の範囲】
【請求項１】
検体試料が臓器から採取される被検体の放射線画像を撮影する放射線撮影装置と、
前記臓器と前記臓器内の部位とが撮影された前記放射線画像を模式的に表したイメージ図上に、検体分析装置によって分析された前記被検体の前記臓器から採取された前記検体試料の分析結果情報を、前記検体試料が採取された前記臓器内の前記部位の位置に対応させて表示した分析結果表示画面を生成する表示画面生成部と、
前記表示画面生成部により生成された前記分析結果表示画面を表示する表示部とを備える、診断画像システム。
【請求項２】
前記表示画面生成部は、前記イメージ図上に、前記検体試料の分析結果情報を、前記検体試料が採取された前記臓器に重畳させて表示した前記分析結果表示画面を生成するように構成されている、請求項１に記載の診断画像システム。
【請求項３】
前記検体試料が採取された前記部位を特定する部位特定情報が入力される入力部をさらに備え、
前記表示画面生成部は、前記入力部に入力された前記部位特定情報に基づいて、前記イメージ図上に、前記検体試料の分析結果情報を、前記検体試料が採取された前記臓器内の前記部位の位置に対応させて表示した前記分析結果表示画面を生成するように構成されている、請求項１または２に記載の診断画像システム。
【請求項４】
前記表示画面生成部は、前記臓器の全体が撮影された前記放射線画像を模式的に表した前記イメージ図上に、前記検体試料の分析結果情報を表示した前記分析結果表示画面を生成するように構成されている、請求項１〜３のいずれか１項に記載の診断画像システム。
【請求項５】
前記表示画面生成部は、前記イメージ図上に、１つの前記検体試料に対して複数の分析項目を含む分析結果情報を表示した前記分析結果表示画面を生成するように構成されている、請求項１〜４のいずれか１項に記載の診断画像システム。
【請求項６】
前記表示部は、前記分析結果表示画面を、全画面表示するように構成されている、請求項１〜５のいずれか１項に記載の診断画像システム。
【請求項７】
前記臓器は、ホルモンを分泌する臓器を含み、
前記表示画面生成部は、前記ホルモンを分泌する臓器と前記臓器内の前記部位とが撮影された前記放射線画像を模式的に表した前記イメージ図上に前記検体試料の分析結果情報を表示した前記分析結果表示画面を生成するように構成されている、請求項１〜６のいずれか１項に記載の診断画像システム。
【請求項８】
前記臓器は、副腎を含み、
前記表示画面生成部は、前記副腎と前記副腎内の前記部位とが撮影された前記放射線画像を模式的に表した前記イメージ図上に、前記検体試料の分析結果情報である前記副腎が分泌するコルチゾール濃度およびアルドステロン濃度のうちの少なくとも一方を表示した前記分析結果表示画面を生成するように構成されている、請求項７に記載の診断画像システム。
【請求項９】
前記表示画面生成部は、前記コルチゾール濃度の最大値および前記アルドステロン濃度の最大値のうちの少なくとも一方が強調表示された前記分析結果表示画面を生成するように構成されている、請求項８に記載の診断画像システム。
【請求項１０】
前記放射線画像は、造影血管像を含み、
前記イメージ図には、前記検体試料が採取された前記臓器以外の臓器は示されずに、前記検体試料が採取された前記臓器と前記検体試料が採取された前記臓器内の前記血管とが示されている、請求項１〜９のいずれか１項に記載の診断画像システム。
【発明の詳細な説明】
【技術分野】
【０００１】
本発明は、診断画像システムに関する。
【背景技術】
【０００２】
従来、被検体（患者）の体内から血液や組織片などの検体試料を採取することにより、体内・臓器内における腫瘍などにより引き起こされる疾患の診断を行うことが知られている。ここで、従来、医師等が放射線画像診断装置によって被検体の透視画像を確認しながら、検体試料を採取するための採取デバイスを被検体内の採取位置まで送り込み、検体試料が採取されることが知られている（たとえば、非特許文献１参照）。
【０００３】
上記非特許文献１には、副腎の疾患である原発性アルドステロン症の診断のため、放射線画像診断装置による被検体のＸ線透視画像をリアルタイムで確認しながら、カテーテルを採取位置まで挿入することにより、副腎の様々な部位の静脈から血液サンプル（検体試料）を採取することが開示されている。ここで、上記非特許文献１には、採取された血液サンプルと、採取位置との対応関係を管理するために、カルテに副腎静脈のスケッチとともに採取位置を記入しておくことが開示されている。上記非特許文献１に開示されている方法では、カルテに副腎静脈のスケッチし、採取位置を記入しておく必要があるので、医師や作業者の負担が大きくなるという不都合がある。
【０００４】
また、従来、表示部を備える診断画像システムおよび診断用情報処理装置が知られている（たとえば、特許文献１参照）。上記特許文献１には、Ｘ線診断装置によって造影血管像を取得し表示することが開示されている。このような、従来の診断画像システムでは、検体試料の採取位置および分析結果などを有するサンプルリストは、医師や作業者などの人手ではなく、通常Ｘ線診断装置とは別の部屋に設置された分析装置によって自動的に生成および表示されている。
【先行技術文献】
【非特許文献】
【０００５】
【非特許文献１】牧田幸三、「原発性アルドステロン症における副腎静脈採血−副腎静脈サンプリング手技を成功させるためのコツ−」、日本インターベンショナルラジオロジー学会雑誌、２０１３年、Ｖｏｌ．２８、Ｎｏ．２、ｐ．２０４−２１０
【特許文献】
【０００６】
【特許文献１】特開２０１４−１２１３３号公報
【発明の概要】
【発明が解決しようとする課題】
【０００７】
しかしながら、上記特許文献１に開示されているシステムでは、検体試料の採取位置および分析結果などを有するサンプルリストは、Ｘ線診断装置とは別の部屋に設置された分析装置において表示されるので、医師等がＸ線診断装置側で造影血管像（副腎の像）を視認しながら、分析装置において表示されるサンプルリスト（採取位置および分析結果）を参照するのは困難である。
【０００８】
さらに、副腎静脈は多数に枝分かれしており、一度の造影で副腎静脈全ての造影血管像を取得することは容易ではない。すなわち、通常、部分造影した複数の造影血管像が取得される一方、部分造影した複数の造影血管像の各々について、サンプルリストに含まれる採取位置および分析結果を参照する必要がある。このため、医師等が、複数の造影血管像に基づいて、副腎における採取位置と検体試料の分析結果との関係性を把握するのが困難である。
【０００９】
この発明は、上記のような課題を解決するためになされたものであり、この発明の１つの目的は、臓器の像と採取位置および分析結果情報とを参照しながら、臓器における検体試料の採取位置と検体試料の分析結果情報との関係性を容易に把握することが可能な診断画像システムを提供することである。
【課題を解決するための手段】
【００１０】
上記目的を達成するために、この発明の一の局面における診断画像システムは、検体試料が臓器から採取される被検体の放射線画像を撮影する放射線撮影装置と、臓器と臓器内の部位とが撮影された放射線画像を模式的に表したイメージ図上に、検体分析装置によって分析された被検体の臓器から採取された検体試料の分析結果情報を、検体試料が採取された臓器内の部位の位置に対応させて表示した分析結果表示画面を生成する表示画面生成部と、表示画面生成部により生成された分析結果表示画面を表示する表示部とを備える。
【００１１】
この発明の一の局面による診断画像システムでは、上記のように、臓器と臓器内の部位とが撮影された放射線画像を模式的に表したイメージ図上に、検体分析装置によって分析された被検体の臓器から採取された検体試料の分析結果情報を、検体試料が採取された臓器内の部位の位置に対応させて表示した分析結果表示画面を生成する表示画面生成部を備える。これにより、イメージ図上に検体試料の分析結果情報が、検体試料が採取された臓器内の部位の位置に対応させて表示されるので、医師等が、複数の放射線画像を参照することなく、イメージ図上で、検体試料が採取された臓器内の部位（採取位置）と、検体試料の分析結果情報とを対応させながら参照することができる。その結果、臓器の像と採取位置および分析結果情報とを参照しながら、臓器における検体試料の採取位置と検体試料の分析結果情報との関係性を容易に把握することができる。
【００１２】
上記一の局面による診断画像システムにおいて、好ましくは、表示画面生成部は、イメージ図上に、検体試料の分析結果情報を、検体試料が採取された臓器に重畳させて表示した分析結果表示画面を生成するように構成されている。このように構成すれば、検体試料の分析結果情報と検体試料が採取された臓器とが互いに近接した状態で表示されるので、医師等が臓器における検体試料の採取位置と検体試料の分析結果情報との関係性をより容易に把握することができる。
【００１３】
上記一の局面による診断画像システムにおいて、好ましくは、検体試料が採取された部位を特定する部位特定情報が入力される入力部をさらに備え、表示画面生成部は、入力部に入力された部位特定情報に基づいて、イメージ図上に、検体試料の分析結果情報を、検体試料が採取された臓器内の部位の位置に対応させて表示した分析結果表示画面を生成するように構成されている。ここで、部位における検体試料の採取位置は、予め定められている場合がある。この場合、検体試料が採取された部位を特定すれば、採取位置も特定される。そこで、上記のように、入力部に入力された部位特定情報に基づいて、イメージ図上に検体試料の分析結果情報を表示させるように構成することによって、入力部から入力された部位特定情報のみに基づいて、容易に、分析結果情報を検体試料が採取された部位の位置に対応させて表示することができる。
【００１４】
上記一の局面による診断画像システムにおいて、好ましくは、表示画面生成部は、臓器の全体が撮影された放射線画像を模式的に表したイメージ図上に、検体試料の分析結果情報を表示した分析結果表示画面を生成するように構成されている。このように構成すれば、表示画面生成部に、臓器の全体と検体試料の分析結果情報とが表示されるので、臓器における検体試料の採取位置と検体試料の分析結果情報との関係性をさらに容易に把握することができる。
【００１５】
上記一の局面による診断画像システムにおいて、好ましくは、表示画面生成部は、イメージ図上に、１つの検体試料に対して複数の分析項目を含む分析結果情報を表示した分析結果表示画面を生成するように構成されている。このように構成すれば、分析結果表示画面に、１つの検体試料に対して複数の分析項目を含む分析結果情報が表示されるので、医師等が、分析結果表示画面を参照することにより、疾患の有無（疾患の部位）を適切に判定することができる。
【００１６】
上記一の局面による診断画像システムにおいて、好ましくは、表示部は、分析結果表示画面を、全画面表示するように構成されている。このように構成すれば、分析結果表示画面が比較的大きく表示されるので、分析結果表示画面の視認性を向上させることができる。
【００１７】
上記一の局面による診断画像システムにおいて、好ましくは、臓器は、ホルモンを分泌する臓器を含み、表示画面生成部は、ホルモンを分泌する臓器と臓器内の部位とが撮影された放射線画像を模式的に表したイメージ図上に検体試料の分析結果情報を表示した分析結果表示画面を生成するように構成されている。ここで、ホルモンを分泌する臓器において、分析結果情報（ホルモンの濃度など）は、検体試料が採取された位置（部位）が疾患の部位に近いほど、値が大きく（または小さく）なる場合がある。この場合に、上記のように、イメージ図上に、検体試料の分析結果情報を、検体試料が採取された臓器内の部位の位置に対応させて表示させることによって、疾患の部位を容易に判定することができる。
【００１８】
この場合、好ましくは、臓器は、副腎であり、表示画面生成部は、副腎と副腎内の部位とが撮影された放射線画像を模式的に表したイメージ図上に、検体試料の分析結果情報である副腎が分泌するコルチゾール濃度およびアルドステロン濃度のうちの少なくとも一方を表示した分析結果表示画面を生成するように構成されている。このように構成すれば、コルチゾール濃度およびアルドステロン濃度のうちの少なくとも一方に関連する疾患（原発性アルドステロン症など）の有無を容易に判定することができる。
【００１９】
上記臓器が副腎を含む診断画像システムにおいて、好ましくは、表示画面生成部は、コルチゾール濃度の最大値およびアルドステロン濃度の最大値のうちの少なくとも一方が強調表示された分析結果表示画面を生成するように構成されている。このように構成すれば、医師等が、臓器においてコルチゾール濃度およびアルドステロン濃度のうちの少なくとも一方が特に高い部位を容易に認識することができる。
【００２０】
上記一の局面による診断画像システムにおいて、好ましくは、放射線画像は、造影血管像を含み、イメージ図には、検体試料が採取された臓器以外の臓器は示されずに、検体試料が採取された臓器と検体試料が採取された臓器内の血管とが示されている。このように構成すれば、イメージ図には、検体試料が採取された臓器以外の臓器は示されないので、検体試料の採取位置および検体試料の分析結果情報の関連性を明確に認識することができる。
【発明の効果】
【００２１】
本発明によれば、上記のように、臓器の像と採取位置および分析結果情報とを参照しながら、臓器における検体試料の採取位置と検体試料の分析結果情報との関係性を容易に把握することができる。
【図面の簡単な説明】
【００２２】
【図１】本発明の一実施形態による診断画像システムの全体構成を示したブロック図である。
【図２】本発明の一実施形態による診断画像システムのＸ線撮影装置の構成例を示すためのブロック図である。
【図３】本発明の一実施形態による診断画像システムの検体分析装置の構成例を示すためのブロック図である。
【図４】本発明の一実施形態による診断画像システムにおいて、Ｘ線画像と分析結果とが識別情報により関連付けられていることを示す概念図である。
【図５】本発明の一実施形態による診断画像システムにおいて、診断用情報処理装置の表示部に表示される採取位置表示画面を示した模式図である。
【図６】本発明の一実施形態による診断画像システムにおけるイメージ図を説明するための図である。
【図７】本発明の一実施形態による診断画像システムにおいて、診断用情報処理装置の表示部に表示される分析結果表示画面を示した模式図である。
【図８】図７の部分拡大図である。
【図９】副腎内の血管を説明するための図である。
【図１０】イメージ図上に表示される分析結果を説明するための図である。
【図１１】変形例による診断画像システムにおいて、診断用情報処理装置の表示部に表示される分析結果表示画面を示した模式図である。
【発明を実施するための形態】
【００２３】
以下、本発明を具体化した実施形態を図面に基づいて説明する。
【００２４】
図１〜図１０を参照して、本実施形態による診断画像システム１の構成について説明する。診断画像システム１は、被検体Ｔの検体試料を採取することによって局所診断を行なうように構成されている。具体的には、診断画像システム１では、検体試料の採取のためのＸ線画像撮影と、採取された検体試料の分析とが行なわれている。
【００２５】
（診断画像システム）
診断画像システム１を用いた局所診断の例としては、原発性アルドステロン症の診断のための副腎静脈サンプリングなどがある。
【００２６】
図１に示すように、診断画像システム１は、被検体ＴのＸ線画像Ｇを撮影するＸ線撮影装置２と、被検体Ｔから採取される検体試料の分析を行う検体分析装置３とを備えている。ここで、Ｘ線撮影装置２および検体分析装置３のそれぞれは、検査室Ｒ１および分析室Ｒ２に別々に設置されている。また、診断画像システム１は、イメージ図ＩＭ上に分析結果ＲＡが表示された分析結果表示画面Ｍ１（図７参照）を生成するワークステーション４と、分析結果表示画面Ｍ１が格納されるデータベースサーバ５と、データベースサーバ５から取得された分析結果表示画面Ｍ１を表示する診断用情報処理装置６とを備えている。なお、分析結果ＲＡは、特許請求の範囲の「分析結果情報」の一例である。
【００２７】
診断画像システム１は、被検体Ｔ内の検体試料を採取するために、Ｘ線撮影装置２によって被検体Ｔの外部からＸ線画像Ｇを撮影する。検体試料を採取する際、検体採取デバイス１０が被検体Ｔの内部に導入され、撮影されたＸ線画像Ｇを手がかりに、検体採取を担当する医師が検体採取デバイス１０を検体試料の採取位置Ｃ（図５参照）まで進入させ、検体試料を採取する。なお、副腎静脈サンプリングでは、検体採取デバイス１０にカテーテルが用いられる。
【００２８】
採取された検体試料は、検体採取デバイス１０に取り込まれ、検体試料を収容するための検体容器Ｂに別途収容された後、検体容器Ｂが検体分析装置３に移送される。検体分析装置３は、医師などの操作者が検体容器Ｂを検体分析装置３にセットすることにより、検体分析装置３が検体試料を受け付ける。検体容器Ｂは、たとえば採血管である。検体分析装置３は、取得した検体試料の分析を行う。
【００２９】
ここで、検体容器Ｂには、検体試料を特定するための試料特定情報が付されている。試料特定情報は、採取された検体試料を収容するための検体容器Ｂに付される識別情報Ｕである。識別情報Ｕは、たとえば検体容器Ｂにバーコードや２次元コードの形式で付される検体ＩＤである。識別情報Ｕは、たとえばバーコードが印字されたラベルの形態で用意され、検体試料が採取される際に、操作者によって検体容器Ｂに貼付される。
【００３０】
（Ｘ線撮影装置）
図２に示すように、Ｘ線撮影装置２は、被検体Ｔの外側から放射線を照射することによって、被検体Ｔ内を画像化するためのＸ線画像Ｇを撮影する装置である。なお、副腎静脈サンプリングでは、Ｘ線撮影装置２は、検体試料が副腎から採取される被検体ＴのＸ線画像を撮影する。
【００３１】
Ｘ線撮影装置２は、被検体Ｔに放射線（Ｘ線）を照射する照射部２１と、被検体Ｔを透過した放射線を検出する検出部２２とを備えている。照射部２１と検出部２２とは、それぞれ、被検体Ｔが載置される天板２３を挟んで対向するように配置されている。照射部２１および検出部２２は、移動機構２４に移動可能に支持されている。天板２３は、天板駆動部２５により水平方向に移動可能である。被検体Ｔの関心領域を撮影できるように、移動機構２４および天板駆動部２５を介して照射部２１、検出部２２および天板２３が移動される。関心領域は、被検体Ｔのうちで、検体試料の採取位置Ｃを含む領域である。Ｘ線撮影装置２は、移動機構２４および天板駆動部２５を制御する制御部２６を備えている。
【００３２】
照射部２１は、放射線源２１ａを含んでいる。放射線源２１ａは、たとえば、所定の高電圧が印加されることによりＸ線を発生させるＸ線管である。照射部２１は、制御部２６に接続されている。制御部２６は、予め設定された撮影条件に従って照射部２１を制御し、放射線源２１ａからＸ線を発生させる。
【００３３】
検出部２２は、照射部２１から照射され、被検体Ｔを透過したＸ線を検出し、検出したＸ線強度に応じた検出信号を出力する。検出部２２は、たとえば、ＦＰＤ（Flat Panel Detector）により構成されている。また、Ｘ線撮影装置２は、検出部２２からＸ線検出信号を取得して、検出部２２の検出信号に基づきＸ線画像Ｇを生成する画像処理部２７を備えている。検出部２２は、所定の解像度の検出信号を画像処理部２７に出力する。
【００３４】
画像処理部２７は、たとえば、ＣＰＵ（Central Processing Unit、図示せず）などのプロセッサと、ＲＯＭ（Read Only Memory、図示せず）およびＲＡＭ（Random Access Memory、図示せず）などの記憶部（図示せず）とを含んで構成されるコンピュータであり、画像処理プログラムをプロセッサに実行させることにより画像処理部２７として機能する。画像処理部２７は、Ｘ線画像Ｇを生成するほか、Ｘ線画像Ｇの視認性を向上するための補正処理や、複数のＸ線画像Ｇを合成する合成処理などを行う機能を有している。また、画像処理部２７は、生成したＸ線画像Ｇのサムネイル画像ＴＨ（図５参照）を生成する処理を行なう。
【００３５】
制御部２６は、ＣＰＵ（図示せず）、ＲＯＭ（図示せず）およびＲＡＭ（図示せず）などを含んで構成されたコンピュータである。制御部２６は、ＣＰＵが所定の制御プログラムを実行することにより、Ｘ線撮影装置２の各部を制御する制御部２６として機能する。制御部２６は、照射部２１および画像処理部２７の制御や、移動機構２４および天板駆動部２５の駆動制御を行う。
【００３６】
Ｘ線撮影装置２は、表示部２６ａ、操作部２６ｂおよび記憶部２６ｃを備える。また、Ｘ線撮影装置２は、ネットワークＮと接続するための通信部２６ｄを備える。表示部２６ａは、たとえば液晶ディスプレイなどのモニタである。操作部２６ｂは、たとえばキーボードおよびマウス、タッチパネルまたは他のコントローラーなどを含んで構成される。記憶部２６ｃは、たとえばハードディスクドライブなどの記憶装置により構成される。制御部２６は、画像処理部２７により生成された画像を表示部２６ａに表示させる制御を行うように構成されている。また、制御部２６は、操作部２６ｂを介した入力操作を受け付けるように構成されている。記憶部２６ｃは、Ｘ線画像Ｇのデータ、識別情報Ｕのデータおよびサムネイル画像ＴＨのデータなどを記憶するように構成されている。
【００３７】
Ｘ線撮影装置２は、図１に示すように、採取された検体試料を収容するための検体容器Ｂに付される識別情報Ｕを読み取るための読取部２８を備える。読取部２８は、たとえば識別情報Ｕに応じたバーコードリーダー（２次元コードリーダー）であり、それぞれ検体容器Ｂに付される識別情報Ｕを読み取ることが可能である。制御部２６は、検体試料が採取される際に、読取部２８により読み出された識別情報ＵをＸ線画像Ｇに付与するように構成されている。
【００３８】
（検体分析装置）
検体分析装置３は、被検体Ｔから採取された検体試料を取得して、診断に必要な成分の測定や細胞の検出などを行う装置である。検体分析装置３は、たとえば血中成分を分析するための血液分析装置や、血球分類装置、化学分析装置などであるが、検体分析装置３による測定または検出の対象物は、診断の目的となる疾患の種類によって異なるため、疾患の種類に応じて選択される。
【００３９】
検体分析装置３の一例として、図３に示すように、液体クロマトグラフ質量分析計からなる検体分析装置３を示す。検体分析装置３は、検体試料に含まれる目的成分の分離を行う液体クロマトグラフ部３１（以下、ＬＣ部３１という）と、分離された目的成分をイオン化し、目的イオンを質量数に応じて分離検出する質量分析部３２（以下、ＭＳ部３２という）とを備える。
【００４０】
ＬＣ部３１は、搬送液を収容する搬送液リザーバ（図示せず）と、搬送液を検体試料とともに送り出す送液ポンプ（図示せず）と、検体試料を導入する試料導入部（図示せず）と、搬送液中の検体試料を成分毎に分離する分離カラム（図示せず）とを主として含む。
【００４１】
ＭＳ部３２は、ＬＣ部３１の後段に設けられ、ＬＣ部３１で分離された試料成分をイオン化するイオン化部（図示せず）と、生成されたイオンを質量分離して特定イオンを通過するための質量分離器（図示せず）と、質量分離器を通過したイオンを検出するイオン検出器（図示せず）とを主として含む。ＭＳ部３２により、ＬＣ部３１から順次溶出する試料成分について、質量毎の検出信号が出力される。
【００４２】
検体分析装置３は、ＭＳ部３２の検出信号に基づいて成分分析を行うデータ処理部３３を備える。データ処理部３３は、質量毎の検出信号からマススペクトルを作成し、既知の検量線と対比することにより、検体試料中の所定成分（コルチゾールやアルドステロンなど）の定量分析を行う。
【００４３】
検体分析装置３は、図３に示すように、表示部３３ａ、操作部３３ｂ、記憶部３３ｃおよび通信部３３ｄを備える。検体分析装置３は、さらに読取部３４を備える。データ処理部３３は、検体試料が分析される際に、読取部３４により読み出された識別情報Ｕを分析結果ＲＡに付与するように構成されている。これにより、図４に示すように、分析結果ＲＡとＸ線画像Ｇとが、共通の識別情報Ｕを介して相互に対応付けられる。
【００４４】
（ワークステーション）
ワークステーション４は、図１に示すように、ワークステーション４は、制御部４１、表示部４２、操作部４３および記憶部４４を備える。また、ワークステーション４は、ネットワークＮと接続するための通信部４５を備える。なお、ワークステーション４は、特許請求の範囲の「表示画面生成部」の一例である。
【００４５】
制御部４１は、Ｘ線撮影装置２から取得されたＸ線画像Ｇを表示部４２に表示させるように構成されている。また、制御部４１は、検体分析装置３から取得された分析結果ＲＡを表示部４２に表示させるように構成されている。また、制御部４１は、操作部４３を介した入力操作を受け付けるように構成されている。記憶部４４は、Ｘ線画像Ｇのデータ、識別情報Ｕのデータ、検体試料の分析結果ＲＡのデータなどを記憶するように構成されている。通信部４５は、ネットワークＮを介してＸ線撮影装置２、検体分析装置３およびデータベースサーバ５と通信可能に接続されている。
【００４６】
また、ワークステーション４は、読取部４６を備える。制御部４１は、読取部４６により識別情報Ｕを読み取ったことに基づいて、識別情報Ｕに対応付けられたＸ線画像ＧをＸ線撮影装置２から取得するとともに、識別情報Ｕに対応付けられた分析結果ＲＡを検体分析装置３から取得するように構成されている。
【００４７】
具体的には、制御部４１は、通信部４５によりネットワークＮを介して、Ｘ線撮影装置２から複数のＸ線画像Ｇのデータと、複数のＸ線画像Ｇのデータのそれぞれに対応する識別情報Ｕとを取得する。また、制御部４１は、通信部４５によりネットワークＮを介して検体分析装置３から複数の分析結果ＲＡのデータと、複数の分析結果ＲＡのデータのそれぞれに対応する識別情報Ｕとを取得する。
【００４８】
また、制御部４１は、Ｘ線撮影装置２から複数のＸ線画像Ｇのそれぞれに対応する複数のサムネイル画像ＴＨを取得するように構成されている。具体的には、制御部４１は、通信部４５によりネットワークＮを介して、Ｘ線撮影装置２から複数のサムネイル画像ＴＨのデータおよび複数のサムネイル画像ＴＨ（図５参照）のデータのそれぞれに対応する識別情報Ｕを取得している。制御部４１は、複数の採取位置Ｃを取得するように構成されている。具体的には、制御部４１は、取得された複数のＸ線画像Ｇを用いてユーザーにより採取位置Ｃが指定されたことに基づいて、複数の検体試料のそれぞれに対応する複数の採取位置Ｃのデータを取得している。
【００４９】
そして、ワークステーション４は、Ｘ線画像Ｇのデータ、識別情報Ｕのデータ、検体試料の分析結果ＲＡのデータ、複数の採取位置Ｃのデータに基づいて、採取位置表示画面Ｍ（図５参照）を生成するように構成されている。
【００５０】
（データベースサーバ）
データベースサーバ５は、ワークステーション４と基本的な構成は同様であり、制御部（図示せず）、表示部（図示せず）、操作部（図示せず）および記憶部（図示せず）を備える。また、データベースサーバ５は、ネットワークＮと接続するための通信部（図示せず）を備える。制御部は、ワークステーション４からの指令に基づいて、通信部によりネットワークＮを介して、ワークステーション４から採取位置表示画面Ｍおよび後述する分析結果表示画面Ｍ１（図７参照）のデータを取得して保存している。また、制御部は、診断用情報処理装置６からの指令に基づいて、通信部によりネットワークＮを介して、診断用情報処理装置６に記憶部に格納された採取位置表示画面Ｍのデータおよび後述する分析結果表示画面Ｍ１（図７参照）を提供している。
【００５１】
（診断用情報処理装置）
診断用情報処理装置６は、図１に示すように、制御部６１、表示部６２、操作部６３および記憶部６４を備える。また、診断用情報処理装置６は、ネットワークＮと接続するための通信部６５を備える。
【００５２】
制御部６１は、ワークステーション４により生成された採取位置表示画面Ｍ（図５参照）および分析結果表示画面Ｍ１（図７参照）のデータをデータベースサーバ５から取得するように構成されている。また、制御部６１は、データベースサーバ５から取得された採取位置表示画面Ｍおよび分析結果表示画面Ｍ１を表示部６２に表示させるように構成されている。また、制御部６１は、操作部６３を介した入力操作を受け付けるように構成されている。記憶部６４は、採取位置表示画面Ｍおよび分析結果表示画面Ｍ１のデータなどを記憶するように構成されている。通信部６５は、ネットワークＮを介してデータベースサーバ５と通信可能に接続されている。
【００５３】
〈採取位置表示画面〉
血管造影を伴う検査では、関心領域内を部分的に造影したＸ線画像Ｇを用いて、関心領域の全ての血管が網羅されている。そして、関心領域内を部分的に造影したＸ線画像Ｇを用いて、複数の検体試料のそれぞれの採取位置Ｃの特定に必要な血管を突き止めていくことにより、複数の検体試料のそれぞれの採取位置Ｃが特定されている。しかし、複数の検体試料のそれぞれの採取位置Ｃが、複数のＸ線画像Ｇに分かれているため、１つのＸ線画像Ｇに複数の検体試料の全ての採取位置ＣがあるＸ線画像Ｇよりも、複数の採取位置Ｃの情報を整理することが困難になっている。
【００５４】
そこで、診断用情報処理装置６は、試料データ、Ｘ線画像Ｇおよびサムネイル画像ＴＨのそれぞれの採取位置Ｃに共通の数字を付すことにより、採取位置Ｃが特定可能に表示された採取位置表示画面Ｍを表示部６２に表示するように構成されている。以下、図５を参照して、採取位置表示画面Ｍに関しての説明を行なう。
【００５５】
具体的には、採取位置表示画面Ｍは、検査情報Ｅおよび解析情報ＡＮを表示する第１表示領域Ｆ１と、採取位置Ｃが特定可能に表示された複数のサムネイル画像ＴＨを表示する第２表示領域Ｆ２と、採取位置Ｃが特定可能に表示された指定Ｘ線画像ＤＧを表示する第３表示領域Ｆ３とを有している。採取位置表示画面Ｍにおいて、第１表示領域Ｆ１は左上に配置され、第２表示領域Ｆ２は右上に配置され、第３表示領域Ｆ３は下部に配置されている。
【００５６】
検査情報Ｅは、検査ＩＤ、検査日時、患者名、患者ＩＤ、年齢および性別といった複数の項目を有している。検査ＩＤは、行なわれている検査特有のＩＤが登録される項目である。検査日時は、検査が行なわれた日時が登録される項目である。患者名は、検査を受診した患者の名前が登録される項目である。患者ＩＤは、患者名に対応するＩＤが登録される項目である。年齢および性別は、患者の年齢および性別のそれぞれが登録される項目である。ここで、検査ＩＤ、検査日時、患者名、患者ＩＤ、年齢および性別といった項目は、ワークステーション４において、ユーザーにより手動で登録される。
【００５７】
解析情報ＡＮは、複数の検体試料のそれぞれの採取位置Ｃを含む複数の特定情報を有している。解析情報ＡＮは、採取位置Ｃ、識別情報Ｕ、血管名（ＢＶ１、ＢＶ２・・・など）、分析結果ＲＡ（Ｄａｔａ１：ｘｘｘ、Ｄａｔａ２：ｘｘｘ）およびステータスといった複数の項目を有している。解析情報ＡＮには、複数の検体試料のうちの任意の検体試料における、採取位置Ｃ、識別情報Ｕ、血管名、分析結果ＲＡおよびステータスといった項目に関する情報が登録される。以下、複数の検体試料のうちの任意の検体試料を、たとえば、１番の数字が付された第１検体試料７１として、解析情報ＡＮの複数の項目を説明する。なお、第１検体試料７１は、Ｘ線画像Ｇにおいて１番の数字で示された場所から採取された検体試料である。
【００５８】
採取位置Ｃは、第１検体試料７１の採取位置Ｃの番号（１番）が登録される項目である。識別情報Ｕは、第１検体試料７１が保存されている検体容器Ｂに付された識別情報Ｕが登録される項目である。血管名は、第１検体試料７１の採取位置Ｃの血管名が登録される項目である。分析結果ＲＡは、第１検体試料７１を検体分析装置３において分析したことにより取得された分析結果ＲＡが登録される項目である。なお、本実施形態では、分析結果ＲＡは、コルチゾール濃度（図５のＤａｔａ１：ｘｘｘ）と、アルドステロン濃度（図５のＤａｔａ２：ｘｘｘ）とを含む。ステータスは、採取位置表示画面Ｍ中の項目の登録作業の進行状況が登録される項目である。ここで、識別情報Ｕ、分析結果ＲＡおよびステータスといった項目は、ワークステーション４により、読取部４６により識別情報Ｕを読み取ったことに基づいて取得される分析結果ＲＡに基づいて、自動で登録される。また、採取位置Ｃおよび血管名といった項目は、ワークステーション４において、ユーザーにより手動で登録される。
【００５９】
なお、採取位置表示画面Ｍにおいて、複数の指定Ｘ線画像ＤＧを、同時に、採取位置表示画面Ｍ上に表示することは困難である。複数の指定Ｘ線画像ＤＧを重ねない状態で、複数の指定Ｘ線画像ＤＧを採取位置表示画面Ｍ上に表示するための面積を採取位置表示画面Ｍが有していないからである。
【００６０】
そこで、本実施形態では、図６に示すように、診断画像システム１では、副腎ＡＧと副腎ＡＧ内の複数の血管ＢＶとが撮影された造影血管像を模式的に表したイメージ図ＩＭが生成される（または、予め保持される）ように構成されている。なお、イメージ図ＩＭは、たとえば、ワークステーション４において生成されるか、または、ワークステーション４に予め記憶されている。なお、造影血管像とは、被検体Ｔの太ももの付け根または腕などの動脈から細い管（カテーテル）を通すとともに、カテーテルから造影剤を目的の血管に流しながらＸ線撮影装置２により撮影された血管の画像である。また、造影血管像には、造影剤が流される血管とともに、血管の周囲の臓器も撮影される。なお、副腎ＡＧは、特許請求の範囲の「臓器」の一例である。
【００６１】
また、イメージ図ＩＭでは、副腎ＡＧの全体が撮影された造影血管像が模式的に表わされている。具体的には、イメージ図ＩＭには、２つの副腎ＡＧ（副腎ＡＧ１、副腎ＡＧ２）が示されている。２つの副腎ＡＧ１および副腎ＡＧ２は、被検体Ｔの体内の左右にそれぞれ配置される２つの副腎ＡＧを模式的に表している。また、２つの副腎ＡＧ（のイメージ図）上には、複数の血管ＢＶ（のイメージ図）が示されている。なお、副腎ＡＧにおける複数の血管ＢＶの位置は、被検体Ｔ毎に異なる場合もある。そこで、複数の血管ＢＶは、イメージ図ＩＭにおいて、被検体Ｔの副腎ＡＧにおける複数の血管ＢＶの代表的な（平均的な）位置に示されている。また、イメージ図ＩＭには、複数の血管ＢＶに繋がる、比較的大きな血管ＢＶＬも示されている。
【００６２】
また、イメージ図ＩＭには、検体試料が採取された副腎ＡＧ以外の臓器は示されない。つまり、イメージ図ＩＭには、検体試料が採取された副腎ＡＧと検体試料が採取された副腎ＡＧ内の複数の血管ＢＶ、および、この複数の血管ＢＶに繋がる比較的大きな血管ＢＶＬのみが示されている。なお、造影血管像では、造影剤が流される血管と、造影剤が流される血管を含む臓器（副腎）と、造影剤が流される血管を含まない周囲の臓器も撮影される。一方、イメージ図ＩＭには、造影剤が流される血管を含まない周囲の臓器（副腎ＡＧ以外の臓器）は示されない。
【００６３】
ここで、本実施形態では、図７に示すように、ワークステーション４は、検体分析装置３によって分析された被検体Ｔの副腎ＡＧから採取された複数の検体試料の分析結果ＲＡを、それぞれ、検体試料が採取された副腎ＡＧ内の血管ＢＶの位置に対応させて表示した分析結果表示画面Ｍ１を生成するように構成されている。分析結果表示画面Ｍ１では、イメージ図ＩＭ上に、検体試料の分析結果ＲＡが、検体試料が採取された副腎ＡＧに重畳させて表示される。なお、「重畳させて表示する」とは、分析結果ＲＡの数値自体（図８のＤａｔａ１：ｘｘｘ、Ｄａｔａ２：ｘｘｘ）が、副腎ＡＧにオーバレイした状態で表示されることと、分析結果ＲＡの数値から延びる線Ｌ（図１０参照）を副腎ＡＧにオーバレイした状態で表示させることとを含む概念である。なお、「オーバレイ」とは、画像や画面の上に別の何かを重ねて表示することを意味する。
【００６４】
また、上記のように、検体試料が採取された血管名（ＢＶ１、ＢＶ２・・・など）は、ワークステーション４において、ユーザーにより操作部４３が操作されることにより、手動で登録される。そして、図８に示すように、ワークステーション４は、操作部４３に入力された血管名に基づいて、イメージ図ＩＭ上に検体試料の分析結果ＲＡ（Ｄａｔａ１：ｘｘｘ、Ｄａｔａ２：ｘｘｘ）を、検体試料が採取された副腎ＡＧ内の複数の血管ＢＶの位置にそれぞれ対応させて表示した分析結果表示画面Ｍ１を生成するように構成されている。なお、「血管名」は、特許請求の範囲の「部位特定情報」の一例である。また、操作部４３は、特許請求の範囲の「入力部」の一例である。
【００６５】
ここで、図９に示すように、副腎ＡＧ内の複数の血管ＢＶにおいて、検体試料が採取される採取位置Ｃ（黒丸）は、予め決められている。たとえば、副腎ＡＧ内には、複数の血管ＢＶ（静脈）が含まれている。そこで、複数の血管ＢＶの各々に血管名（ＢＶ１、ＢＶ２・・・など）が付与される。なお、この血管名（ＢＶ１、ＢＶ２・・・など）は、イメージ図ＩＭ上に示されない。図９では、複数の血管は、互いに線種（実線、点線など）を変えた状態で表示されている。たとえば、血管名ＢＶ１を有する血管は、細い実線で示されている。また、血管名ＢＶ２を有する血管ＢＶは、細い点線で示されている。そして、各血管ＢＶにおいて、採取位置Ｃ（黒丸）が予め決められている。
【００６６】
そして、図１０に示すように、検体試料が採取された血管ＢＶに対して、イメージ図ＩＭ上の血管ＢＶの採取位置Ｃ（黒丸）から線Ｌが引き出される。そして、線Ｌの黒丸側とは反対側に、分析結果ＲＡ（Ｄａｔａ１：ｘｘｘ、Ｄａｔａ２：ｘｘｘ）が表示される。なお、線Ｌは、採取位置Ｃ（黒丸）から引き出された部分（傾斜部分Ｌ１）と、傾斜した部分に接続される水平部分Ｌ２とを含む。そして、分析結果ＲＡは、水平部分Ｌ２に沿うように（水平部分Ｌ２の上方または下方に）表示される。たとえば、副腎ＡＧ１内の複数の血管ＢＶ（血管名ＢＶ１〜ＢＶ７）のうち、血管ＢＶ１から採取された分析結果ＲＡは、イメージ図ＩＭ上の血管ＢＶ１の採取位置Ｃ（黒丸）から引き出された線Ｌの水平部分Ｌ２の上下に表示されている。
【００６７】
また、図８に示すように、イメージ図ＩＭ上において、採取位置Ｃ（黒丸）から引き出された線Ｌの全部または一部は、副腎ＡＧにオーバレイするように表示される。また、イメージ図ＩＭ上において、「Ｄａｔａ１：ｘｘｘ、Ｄａｔａ２：ｘｘｘ」の表記の全部または一部は、副腎ＡＧにオーバレイするように表示される。なお、「Ｄａｔａ１：ｘｘｘ、Ｄａｔａ２：ｘｘｘ」の表記の全部または一部が副腎ＡＧにオーバレイするのが困難な場合、線Ｌが副腎ＡＧにオーバレイし、「Ｄａｔａ１：ｘｘｘ、Ｄａｔａ２：ｘｘｘ」の表記は副腎ＡＧにオーバレイしない。
【００６８】
また、副腎ＡＧは、ホルモンを分泌する臓器（器官）である。具体的には、副腎ＡＧから分泌されるホルモンには、副腎皮質ホルモンであるコルチゾールと、副腎皮質の球状体から分泌されるアルドステロンとが含まれる。ここで、原発性アルドステロン症では、副腎皮質の病変（線種など）により血液中のアルドステロン濃度が上昇する。その結果、血圧が上昇するなどの症状が生じる。また、コルチゾールの濃度に基づいて、副腎ＡＧの血管ＢＶ（静脈）からの採血が成功しているか否かの判定を行うことが可能である。副腎ＡＧの血管ＢＶ（静脈）からの採血は、ＡＣＴＨ（副腎皮質刺激ホルモン）負荷後に行われる。ＡＣＴＨ負荷後のコルチゾールの濃度が所定の値以上であれば、血管ＢＶ（静脈）からの採血が成功していると判定することが可能である。一方、ＡＣＴＨ負荷後のコルチゾールの濃度が所定の値を下回れば、副腎静脈血以外の血液の混入の可能性（採血の失敗）が考えられる。
【００６９】
図８に示すように、ワークステーション４は、イメージ図ＩＭ上に、１つの検体試料に対して複数の分析項目を含む分析結果ＲＡを表示した分析結果表示画面Ｍ１を生成するように構成されている。具体的には、ワークステーション４は、イメージ図ＩＭ上に、検体試料の分析結果である副腎ＡＧが分泌するコルチゾール濃度（Ｄａｔａ１：ｘｘｘ）およびアルドステロン濃度（Ｄａｔａ２：ｘｘｘ）の両方が表示された分析結果表示画面Ｍ１を生成する。たとえば、コルチゾール濃度（Ｄａｔａ１：ｘｘｘ）が、採取位置Ｃ（黒丸）から引き出された線Ｌの水平部分Ｌ２の上方に表示される。また、アルドステロン濃度（Ｄａｔａ２：ｘｘｘ）が、採取位置Ｃから引き出された線Ｌの水平部分Ｌ２の下方に表示される。
【００７０】
また、図８に示すように、ワークステーション４は、コルチゾール濃度の最大値およびアルドステロン濃度の最大値のうちの両方が強調表示された分析結果表示画面Ｍ１を生成するように構成されている。たとえば、コルチゾール濃度の最大値およびアルドステロン濃度の最大値が、太字（図８の血管ＢＶ１のＤａｔａ１：ｘｘｘ、Ｄａｔａ２：ｘｘｘ）により表示されている。また、コルチゾール濃度の最大値およびアルドステロン濃度の最大値が、点滅表示されてもよい。また、コルチゾール濃度の最大値およびアルドステロン濃度の最大値が、他の（最大値でない）コルチゾール濃度およびアルドステロン濃度の表示色（または色の濃度）とは、異なる色（または色の濃度）により表示されてもよい。
【００７１】
また、ワークステーション４により生成された分析結果表示画面Ｍ１は、データベースサーバ５に記憶される。
【００７２】
また、診断用情報処理装置６（図１参照）の表示部６２は、ワークステーション４により生成された分析結果表示画面Ｍ１を表示するように構成されている。具体的には、診断用情報処理装置６の制御部６１は、ワークステーション４により生成された分析結果表示画面Ｍ１のデータをデータベースサーバ５から取得するように構成されている。また、制御部６１は、データベースサーバ５から取得された分析結果表示画面Ｍ１を表示部６２に表示させるように構成されている。
【００７３】
また、図７に示すように、表示部６２は、分析結果表示画面Ｍ１を、全画面表示するように構成されている。つまり、表示部６２に分析結果表示画面Ｍ１以外の画面は表示されずに、分析結果表示画面Ｍ１のみが表示される。
【００７４】
なお、診断用情報処理装置６は、検査室Ｒ１や分析室Ｒ２の外部に配置されていてもよいし、検査室Ｒ１の内部に配置されていてもよい。
【００７５】
（本実施形態の効果）
本実施形態では、以下のような効果を得ることができる。
【００７６】
本実施形態では、上記のように、ワークステーション４は、副腎ＡＧと副腎ＡＧ内の血管ＢＶとが撮影された造影血管像を模式的に表したイメージ図ＩＭ上に、検体分析装置３によって分析された被検体の副腎ＡＧから採取された検体試料の分析結果ＲＡを、検体試料が採取された副腎ＡＧ内の血管ＢＶの位置に対応させて表示した分析結果表示画面Ｍ１を生成する。これにより、イメージ図ＩＭ上に検体試料の分析結果ＲＡが、検体試料が採取された副腎ＡＧ内の血管ＢＶの位置に対応させて表示されるので、医師等が、複数の造影血管像を参照することなく、イメージ図ＩＭ上で、検体試料が採取された副腎ＡＧ内の複数の血管ＢＶ（採取位置Ｃ）と、検体試料の分析結果ＲＡとを対応させながら参照することができる。その結果、副腎ＡＧの像（イメージ図ＩＭ）と採取位置および分析結果ＲＡとを参照しながら、副腎ＡＧにおける検体試料の採取位置Ｃと検体試料の分析結果ＲＡとの関係性を容易に把握することができる。
【００７７】
また、本実施形態では、上記のように、ワークステーション４は、イメージ図ＩＭ上に、検体試料の分析結果ＲＡを、検体試料が採取された副腎ＡＧに重畳させて表示した分析結果表示画面Ｍ１を生成する。これにより、検体試料の分析結果ＲＡと検体試料が採取された副腎ＡＧとが互いに近接した状態で表示されるので、医師等が副腎ＡＧにおける検体試料の採取位置Ｃと検体試料の分析結果ＲＡとの関係性をより容易に把握することができる。
【００７８】
また、本実施形態では、上記のように、ワークステーション４は、操作部４３に入力された血管名に基づいて、イメージ図ＩＭ上に検体試料の分析結果ＲＡを、検体試料が採取された副腎ＡＧ内の血管ＢＶの位置に対応させて表示した分析結果表示画面Ｍ１を生成するように構成されている。ここで、血管ＢＶにおける検体試料の採取位置Ｃは、予め定められている。したがって、検体試料が採取された血管ＢＶを特定すれば、採取位置Ｃも特定される。そこで、上記のように構成することによって、操作部４３から入力された血管名のみに基づいて、容易に、分析結果ＲＡを検体試料が採取された血管ＢＶの位置に対応させて表示することができる。
【００７９】
また、本実施形態では、上記のように、ワークステーション４は、副腎ＡＧの全体が撮影された造影血管像を模式的に表したイメージ図ＩＭ上に、検体試料の分析結果ＲＡを表示した分析結果表示画面Ｍ１を生成する。これにより、分析結果表示画面Ｍ１に、副腎ＡＧの全体と検体試料の分析結果ＲＡとが表示されるので、副腎ＡＧにおける検体試料の採取位置Ｃと検体試料の分析結果ＲＡとの関係性をさらに容易に把握することができる。
【００８０】
また、本実施形態では、上記のように、ワークステーション４は、イメージ図ＩＭ上に、１つの検体試料に対して複数の分析項目を含む分析結果ＲＡを表示した分析結果表示画面Ｍ１を生成する。これにより、分析結果表示画面Ｍ１に、１つの検体試料に対して複数の分析項目を含む分析結果ＲＡが表示されるので、医師等が、分析結果表示画面Ｍ１を参照することにより、疾患の有無（疾患の部位）を適切に判定することができる。
【００８１】
また、本実施形態では、上記のように、表示部６２は、分析結果表示画面Ｍ１を、全画面表示するように構成されている。これにより、分析結果表示画面Ｍ１が比較的大きく表示されるので、分析結果表示画面Ｍ１の視認性を向上させることができる。
【００８２】
また、本実施形態では、上記のように、ワークステーション４は、ホルモンを分泌する副腎ＡＧと副腎ＡＧ内の血管ＢＶとが撮影された造影血管像を模式的に表したイメージ図ＩＭ上に検体試料の分析結果ＲＡを表示した分析結果表示画面Ｍ１を生成するように構成されている。ここで、ホルモンを分泌する副腎ＡＧにおいて、分析結果ＲＡ（ホルモンの濃度など）は、検体試料が採取された位置（血管ＢＶ）が疾患の部位に近いほど、値が大きく（または小さく）なる場合がある。この場合に、上記のように、イメージ図ＩＭ上に、検体試料の分析結果ＲＡを、それぞれ、検体試料が採取された副腎ＡＧ内の血管ＢＶの位置に対応させて表示させることによって、疾患の部位を容易に判定することができる。
【００８３】
また、本実施形態では、上記のように、ワークステーション４は、イメージ図ＩＭ上に、検体試料の分析結果ＲＡである副腎が分泌するコルチゾール濃度およびアルドステロン濃度を表示した分析結果表示画面Ｍ１を生成する。これにより、コルチゾール濃度およびアルドステロン濃度に関連する疾患（原発性アルドステロン症など）の有無を容易に判定することができる。
【００８４】
また、本実施形態では、上記のように、ワークステーション４は、コルチゾール濃度の最大値およびアルドステロン濃度の最大値が強調表示された分析結果表示画面Ｍ１を生成する。これにより、医師等が、副腎ＡＧにおいてコルチゾール濃度およびアルドステロン濃度が特に高い部位を容易に認識することができる。
【００８５】
また、本実施形態では、上記のように、イメージ図ＩＭには、検体試料が採取された副腎ＡＧ以外の臓器は示されずに、検体試料が採取された副腎ＡＧと検体試料が採取された副腎ＡＧ内の血管ＢＶとが示されている。これにより、イメージ図ＩＭには、検体試料が採取された副腎ＡＧ以外の臓器が示されないので、検体試料の採取位置Ｃおよび検体試料の分析結果ＲＡの関連性を明確に認識することができる。
【００８６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８７】
たとえば、上記実施形態では、検体試料の分析結果が副腎（のイメージ図）に重畳させて表示される例を示したが、本発明はこれに限られない。たとえば、検体試料の分析結果を、副腎（のイメージ図）に重畳させない状態で、検体試料が採取された血管（のイメージ図）の近傍に表示してもよい。
【００８８】
また、上記実施形態では、検体試料が採取された血管を血管名により特定する例を示したが、本発明はこれに限られない。たとえば、検体試料が採取された血管を、血管名以外の部位特定情報（固有の番号など）により特定してもよい。
【００８９】
また、上記実施形態では、ワークステーションの操作部により入力された検体試料が採取された血管の血管名に基づいて、イメージ図上に分析結果を血管の位置に対応させて表示する例を示したが、本発明はこれに限られない。たとえば、血管内に挿入されたカテーテルにより検体試料を採取している状態をＸ線撮影装置により撮影し、撮影されたＸ線画像とイメージ図上の血管とのパターンマッチングに基づいて、イメージ図上に、分析結果を血管の位置に対応させて表示するようにしてもよい。
【００９０】
また、上記実施形態では、イメージ図に副腎の全体が表されている例を示したが、本発明はこれに限られない。たとえば、イメージ図に副腎の一部（左右の副腎のうちの一方等）が表されていてもよい。
【００９１】
また、上記実施形態では、表示部に分析結果表示画面が全画面表示される例を示したが、本発明はこれに限られない。たとえば、図１１の変形例に示すように、表示部６２に、分析結果表示画面Ｍ２とともに、解析情報ＡＮが表示されてもよい。
【００９２】
また、上記実施形態では、イメージ図上に、１つの検体試料に対して２つの分析項目（コルチゾール濃度およびアルドステロン濃度）が表示される例を示したが、本発明はこれに限られない。たとえば、イメージ図上に、１つの検体試料に対して、１つ、または、３つ以上の分析項目が表示されてもよい。
【００９３】
また、上記実施形態では、副腎が表されたイメージ図上に分析結果を表示する例を示したが、本発明はこれに限られない。本発明では、副腎以外のホルモンを分泌する臓器（下垂体、副甲状腺など）が表されたイメージ図上に分析結果を表示してもよい。
【００９４】
また、上記実施形態では、分析結果表示画面にコルチゾール濃度およびアルドステロン濃度の両方が表示される例を示したが、本発明はこれに限られない。たとえば、分析結果表示画面にコルチゾール濃度およびアルドステロン濃度のうちの一方のみが表示されてもよい。
【００９５】
また、上記実施形態では、イメージ図が造影血管像を模式的に表している例を示したが、本発明はこれに限られない。たとえば、イメージ図が造影血管像以外の放射線画像を模式的に表していてもよい。
【００９６】
また、上記実施形態では、イメージ図に検体試料が採取された副腎以外の臓器が示されていない例を示したが、本発明はこれに限られない。たとえば、イメージ図に検体試料が採取された副腎以外の臓器が示されていてもよい。
【００９７】
また、上記実施形態では、ワークステーションにおいて、分析結果表示画面が生成されるとともに、診断用情報処理装置の表示部に分析結果表示画面が表示される例を示したが、本発明はこれに限られない。たとえば、ワークステーション以外のＰＣ（パーソナルコンピュータ）などにおいて分析結果表示画面を生成するとともにＰＣの表示部に分析結果表示画面を表示してもよい。
【００９８】
また、上記実施形態では、イメージ図ＩＭ上に分析結果ＲＡが表示される例を示したが、本発明はこれに限られない。たとえば、イメージ図ＩＭの横にサンプルリストを表示し、サンプルリスト中の検体試料に付された番号に対応した番号バルーンを、イメージ図ＩＭ上に表示してもよい。
【００９９】
また、上記実施形態では、血管から検体試料が採取される例を示したが、本発明はこれに限られない。たとえば、臓器内の所定の部位から組織片を採取してもよい。
【符号の説明】
【０１００】
１  診断画像システム
２  Ｘ線撮影装置（放射線撮影装置）
３  検体分析装置
４  ワークステーション（表示画面生成部）
４３  操作部（入力部）
６２  表示部
ＡＧ、ＡＧ１、ＡＧ２  副腎（臓器）
ＢＶ  血管
ＢＶ１、ＢＶ２、ＢＶ３、ＢＶ４、ＢＶ５、ＢＶ６、ＢＶ７  血管名（血管特定情報）
ＩＭ  イメージ図
Ｍ１、Ｍ２  分析結果表示画面
ＲＡ  分析結果
Ｔ  被検体
【図１】
2020127540.tif 000003
【図２】
2020127540.tif 000004
【図３】
2020127540.tif 000005
【図４】
2020127540.tif 000006
【図５】
2020127540.tif 000007
【図６】
2020127540.tif 000008
【図７】
2020127540.tif 000009
【図８】
2020127540.tif 000010
【図９】
2020127540.tif 000011
【図１０】
2020127540.tif 000012
【図１１】
2020127540.tif 000013